【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
近位端及び遠位端を有する操作可能なシースであって、
前記操作可能なシースの非偏向部分の近位端から前記操作可能なシースの偏向可能部分の遠位端まで延在する内側ライナーであって、前記偏向可能部分は、前記操作可能なシースを通って延在するプルワイヤを用いて操作者によって制御可能かつ偏向可能に構成されている、前記内側ライナーと、
前記内側ライナーを取り囲み、前記操作可能なシースの前記非偏向部分の前記近位端から前記操作可能シースの前記偏向可能部分の前記遠位端まで延在するトルク伝達層と、
外周を有し、前記トルク伝達層を取り囲む第１のリフローポリマー層であって、前記操作可能なシースの前記非偏向部分の前記近位端から前記操作可能なシースの前記偏向可能部分の前記遠位端まで延在する、前記第１のリフローポリマー層と、
前記非偏向部分の前記近位端から遠位端まで、前記第１のリフローポリマー層の前記外周の周りに第１の螺旋経路に沿って配置され、前記偏向可能部分の近位端から前記偏向可能部分の前記遠位端まで、前記第１のリフローポリマー層の前記外周の周りに第２の螺旋経路に沿って配置される第１の電極ワイヤと、を備えており、
前記第１の電極ワイヤは、前記偏向可能部分上に配置される第１の電極に電気的に接続される、操作可能なシース。
【請求項２】
前記第１の電極ワイヤを取り囲む第２のリフローポリマー層をさらに備えている、請求項１に記載の操作可能なシース。
【請求項３】
前記第１の電極を取り囲む第３のリフローポリマー層をさらに備えており、
前記第３のリフローポリマー層は、前記第１の電極の外表面の少なくとも一部が、前記第３のリフローポリマー層から露出されるように構成される、請求項２に記載の操作可能なシース。
【請求項４】
前記第２の螺旋経路は、前記第１の螺旋経路の巻きより狭い巻きを有する、請求項１〜３のいずれか一項に記載の操作可能なシース。
【請求項５】
前記非偏向部分の前記近位端から前記遠位端まで、前記第１のリフローポリマー層の前記外周の周りに第３の螺旋経路に沿って配置され、前記偏向可能部分の前記近位端から前記偏向可能部分の前記遠位端まで、前記第１のリフローポリマー層の前記外周の周りに第４の螺旋経路に沿って配置される第２の電極ワイヤをさらに備えており、
前記第２の電極ワイヤは、前記偏向可能部分上に配置される第２の電極に電気的に接続される、請求項１に記載の操作可能なシース。
【請求項６】
前記第２の電極ワイヤを取り囲む第２のリフローポリマー層をさらに備えている、請求項５に記載の操作可能なシース。
【請求項７】
前記第２の電極を取り囲む第３のリフローポリマー層をさらに備えており、
前記第３のリフローポリマー層は、前記第２の電極の外表面の少なくとも一部が、前記第３のリフローポリマー層から露出されるように構成される、請求項６に記載の操作可能なシース。
【請求項８】
前記第４の螺旋経路は、前記第３の螺旋経路の巻きより狭い巻きを有する、請求項５〜７のいずれか一項に記載の操作可能なシース。
【請求項９】
前記非偏向部分の前記近位端から前記非偏向部分の前記遠位端まで前記内側ライナーの外周の周りに第５の螺旋経路に沿って配置され、前記偏向可能部分の前記近位端から前記偏向可能部分の前記遠位端まで第１の直線経路に沿って配置される第１のプルワイヤと、
前記非偏向可能部分の前記近位端から前記非偏向可能部分の前記遠位端まで前記内側ライナーの前記外周の周りに第６の螺旋経路に沿って配置され、前記偏向可能部分の前記近位端から前記偏向可能部分の前記遠位端まで第２の直線経路に沿って配置される第２のプルワイヤと、をさらに備えている、請求項１〜８のいずれか一項に記載の操作可能なシース。
【請求項１０】
前記第５の螺旋経路及び前記第６の螺旋経路はそれぞれ、前記非偏向部分の前記近位端から前記非偏向部分の前記遠位端まで、前記内側ライナーの周りを２周し、
及び／又は、前記第１のプルワイヤ及び前記第２のプルワイヤは、フラットワイヤを備え、
及び／又は、前記第１のプルワイヤ及び前記第２のプルワイヤは、ステンレス鋼プルワイヤであり、
及び／又は、前記第５の螺旋経路は、前記第６の螺旋経路から、前記内側ライナーの前記外周の周りに１８０度オフセットされており、
及び／又は、前記第１の直線経路は、前記第２の直線経路から、前記内側ライナーの前記外周の周りに１８０度オフセットされており、
及び／又は、前記第１のプルワイヤ及び前記第２のプルワイヤは、ポリマー管状部材内にある、請求項９に記載の操作可能シース。
【請求項１１】
近位端及び遠位端を有する操作可能なシースであって、
前記操作可能なシースの非偏向部分の近位端から前記操作可能なシースの偏向可能部分の遠位端まで延在する内側ライナーであって、前記偏向可能部分は、前記操作可能なシースを通って延在するプルワイヤを用いて操作者によって制御可能に偏向可能に構成されている、前記内側ライナーと、
外周を有し、前記内側ライナーを取り囲み、前記操作可能なシースの前記非偏向部分の前記近位端から前記操作可能なシースの前記偏向可能部分の前記遠位端まで延在するトルク伝達層と、
前記非偏向可能部分の前記近位端から遠位端まで前記トルク伝達層の前記外周の周りに第１の螺旋経路に沿って配置され、前記偏向可能部分の近位端から前記偏向可能部分の前記遠位端まで前記トルク伝達層の前記外周の周りに前記第２の螺旋経路に沿って配置され、偏向可能部分の近位端から遠位端までトルク伝達層の外周に沿って配置される第１の電極ワイヤであって、前記偏向可能部分上に配置される第１の電極に電気的に接続される、前記第１の電極ワイヤと、
前記第１の電極ワイヤ及び前記第１の電極を取り囲むリフローポリマー層であって、前記リフローポリマー層の一部は、前記第１の電極の少なくとも一部を露出させるために除去されている、前記リフローポリマー層と、を備えている、操作可能なシース。
【請求項１２】
前記第２の螺旋経路は、前記第１の螺旋経路の巻きより狭い巻きを有する、請求項１１に記載の操作可能なシース。
【請求項１３】
前記非偏向部分の前記近位端から前記遠位端まで前記トルク伝達層の前記外周の周りに第３の螺旋経路に沿って配置され、前記偏向可能部分の前記近位端から前記偏向可能部分の前記遠位端まで前記トルク伝達層の前記外周の周りに第４の螺旋経路に沿って配置される第２の電極ワイヤをさらに備えており、
前記第２の電極ワイヤは、前記偏向可能部分上に配置される第２の電極に電気的に接続される、請求項１１又は１２に記載の操作可能なシース。
【請求項１４】
内側ライナーの非偏向部分の近位端から前記内側ライナーの前記非偏向部分の遠位端まで、前記内側ライナーの前記非偏向部分の外周の周りに第１の螺旋経路に沿って第１のプルワイヤを配置するステップであって、前記偏向可能部分は、前記操作可能なシースを通って延在するプルワイヤを用いて操作者によって制御可能に偏向可能に構成されている、配置するステップと、
前記内側ライナーの偏向可能部分の近位端から前記偏向可能部分の遠位端まで第１の直線経路に沿って前記第１のプルワイヤを配置するステップであって、前記内側ライナーの前記偏向可能部分の前記近位端は、前記内側ライナーの前記非偏向部分の前記遠位端に隣接する、前記第１の直線経路に沿って前記第１のプルワイヤを配置するステップと、
前記内側ライナーの前記非偏向部分の前記近位端から前記内側ライナーの前記非偏向部分の前記遠位端まで、前記内側ライナーの前記非偏向部分の前記外周の周りにおいて第２の螺旋経路に沿って第２のプルワイヤを配置するステップと、
前記内側ライナーの前記偏向可能部分の前記近位端から前記内側ライナーの前記偏向可能部分の前記遠位端まで、第２の直線経路に沿って前記第２のプルワイヤを配置するステップと、
前記第１のプルワイヤ、前記第２のプルワイヤ及び前記内側ライナーの上にトルク伝達層を配置するステップと、
前記トルク伝達層の上に第１のポリマー材料をリフローするステップと、
リフローされた前記第１のポリマー材料の非偏向部分の近位端から前記リフローされた第１のポリマー材料の前記非偏向部分の遠位端まで前記リフローされた第１のポリマー材料の外周の周りに第３の螺旋経路に沿って、前記リフローされた第１のポリマー材料の前記偏向可能部分の近位端から前記リフローされた第１のポリマー材料の前記偏向可能部分の遠位端まで前記リフローされた第１のポリマー材料の外周の周りに第４の螺旋経路に沿って、第１の電極ワイヤを配置するステップと、
前記リフローされた第１のポリマー材料の前記非偏向部分の前記近位端から前記リフローされた第１のポリマー材料の前記非偏向部分の前記遠位端まで前記リフローされた第１のポリマー材料の前記外周の周りに第５の螺旋経路に沿って、前記リフローされた第１のポリマー材料の前記偏向可能部分の前記近位端から前記リフローされた第１のポリマー材料の前記偏向可能部分の前記遠位端まで前記リフローされた第１のポリマー材料の前記外周の周りに第６の螺旋経路に沿って、第２の電極ワイヤを配置するステップと、を備えている、操作可能なシースの製造方法。
【請求項１５】
前記第１の電極ワイヤ及び前記第２の電極ワイヤの上に第２のポリマー材料をリフローするステップをさらに備え、
前記第２のポリマー材料は、２つの別個の材料をリフローする共押出プロセスである、請求項１４に記載の操作可能なシースの製造方法。
【手続補正２】
【補正対象書類名】明細書
【補正対象項目名】００４８
【補正方法】変更
【補正の内容】
【００４８】
参照により本明細書に組み込まれると言われる任意の特許、刊行物又は他の開示資料は、全体又は一部において、組み込まれた資料が、本開示に示す既存の定義、声明、又は他の開示資料と矛盾しない範囲でのみ本明細書に組み込まれる。そのように、そして必要な程度まで、本明細書に明示的に示された開示は、参照により本明細書に組み込まれるいかなる矛盾する資料よりも優先される。参照により本明細書に組み込まれると言われているが、本明細書に示された既存の定義、声明、又は他の開示資料と矛盾する任意の資料又はその一部は、組み込まれる材料と既存の開示資料との間に矛盾が生じない程度でのみ組み込まれることになる。
以下の項目は、国際出願時の請求の範囲に記載の要素である。
（項目１）
近位端及び遠位端を有する操作可能なシースであって、
前記操作可能なシースの非偏向部分の近位端から前記操作可能なシースの偏向可能部分の遠位端まで延在する内側ライナーと、
前記内側ライナーを取り囲み、前記操作可能なシースの前記非偏向部分の前記近位端から前記操作可能シースの前記偏向可能部分の前記遠位端まで延在するトルク伝達層と、
外周を有し、前記トルク伝達層を取り囲む第１のリフローポリマー層であって、前記操作可能なシースの前記非偏向部分の前記近位端から前記操作可能なシースの前記偏向可能部分の前記遠位端まで延在する、前記第１のリフローポリマー層と、
前記非偏向部分の前記近位端から遠位端まで、前記第１のリフローポリマー層の前記外周の周りに第１の螺旋経路に沿って配置され、前記偏向可能部分の近位端から前記偏向可能部分の前記遠位端まで、前記第１のリフローポリマー層の前記外周の周りに第２の螺旋経路に沿って配置される第１の電極ワイヤと、を備えており、
前記第１の電極ワイヤは、前記偏向可能部分上に配置される第１の電極に電気的に接続される、操作可能なシース。
（項目２）
前記第１の電極ワイヤを取り囲む第２のリフローポリマー層をさらに備えている、項目１に記載の操作可能なシース。
（項目３）
前記第１の電極を取り囲む第３のリフローポリマー層をさらに備えている、項目２に記載の操作可能なシース。
（項目４）
前記第３のポリマー層は、前記第１の電極の外表面の少なくとも一部が、前記第３のリフローポリマー層から露出されるように構成される、項目３に記載の操作可能なシース。
（項目５）
前記第２の螺旋経路は、前記第１の螺旋経路の巻きより狭い巻きを有する、項目１に記載の操作可能なシース。
（項目６）
前記非偏向部分の前記近位端から前記遠位端まで、前記第１のリフローポリマー層の前記外周の周りに第３の螺旋経路に沿って配置され、前記偏向可能部分の前記近位端から前記偏向可能部分の前記遠位端まで、前記第１のリフローポリマー層の前記外周の周りに第４の螺旋経路に沿って配置される第２の電極ワイヤをさらに備えており、
前記第２の電極ワイヤは、前記偏向可能部分上に配置される第２の電極に電気的に接続される、項目１に記載の操作可能なシース。
（項目７）
前記第２の電極ワイヤを取り囲む第２のリフローポリマー層をさらに備えている、項目６に記載の操作可能なシース。
（項目８）
前記第２の電極を取り囲む第３のリフローポリマー層をさらに備えている、項目７に記載の操作可能なシース。
（項目９）
前記第３のポリマー層は、前記第２の電極の外表面の少なくとも一部が、前記第３のリフローポリマー層から露出されるように構成される、項目８に記載の操作可能なシース。
（項目１０）
前記第４の螺旋経路は、前記第３の螺旋経路の巻きより狭い巻きを有する、項目６に記載の操作可能なシース。
（項目１１）
前記非偏向部分の前記近位端から前記非偏向部分の前記遠位端まで前記内側ライナーの外周の周りに第５の螺旋経路に沿って配置され、前記偏向可能部分の前記近位端から前記偏向可能部分の前記遠位端まで第１の直線経路に沿って配置される第１のプルワイヤと、
前記非偏向可能部分の前記近位端から前記非偏向可能部分の前記遠位端まで前記内側ライナーの前記外周の周りに第６の螺旋経路に沿って配置され、前記偏向可能部分の前記近位端から前記偏向可能部分の前記遠位端まで第２の直線経路に沿って配置される第２のプルワイヤと、をさらに備えている、項目１に記載の操作可能なシース。
（項目１２）
前記第５の螺旋経路及び前記第６の螺旋経路はそれぞれ、前記非偏向部分の前記近位端から前記非偏向部分の前記遠位端まで、前記内側ライナーの周りを２周する、項目１１に記載の操作可能シース
（項目１３）
前記第１のプルワイヤ及び前記第２のプルワイヤは、フラットワイヤを備える、項目１１に記載の操作可能なシース。
（項目１４）
前記第１のプルワイヤ及び前記第２のプルワイヤは、ステンレス鋼プルワイヤである、項目１１に記載の操作可能なシース。
（項目１５）
前記第５の螺旋経路は、前記第６の螺旋経路から、前記内側ライナーの前記外周の周りに１８０度オフセットされている、項目１１に記載の操作可能なシース。
（項目１６）
前記第１の直線経路は、前記第２の直線経路から、前記内側ライナーの前記外周の周りに１８０度オフセットされている、項目１１に記載の操作可能なシース。
（項目１７）
前記第１のプルワイヤ及び前記第２のプルワイヤは、ポリマー管状部材内にある、項目１１に記載の操作可能なシース。
（項目１８）
近位端及び遠位端を有する操作可能なシースであって、
前記操作可能なシースの非偏向部分の近位端から前記操作可能なシースの偏向可能部分の遠位端まで延在する内側ライナーと、
外周を有し、前記内側ライナーを取り囲み、前記操作可能なシースの前記非偏向部分の前記近位端から前記操作可能なシースの前記偏向可能部分の前記遠位端まで延在するトルク伝達層と、
前記非偏向可能部分の前記近位端から遠位端まで前記トルク伝達層の前記外周の周りに第１の螺旋経路に沿って配置され、前記偏向可能部分の近位端から前記偏向可能部分の前記遠位端まで前記トルク伝達層の前記外周の周りに前記第２の螺旋経路に沿って配置され、偏向可能部分の近位端から遠位端までトルク伝達層の外周に沿って配置される第１の電極ワイヤであって、前記偏向可能部分上に配置される第１の電極に電気的に接続される、前記第１の電極ワイヤと、
前記第１の電極ワイヤ及び前記第１の電極を取り囲むリフローポリマー層であって、前記リフローポリマー層の一部は、前記第１の電極の少なくとも一部を露出させるために除去されている、前記リフローポリマー層と、を備えている、操作可能なシース。
（項目１９）
前記第２の螺旋経路は、前記第１の螺旋経路の巻きより狭い巻きを有する、項目１８に記載の操作可能なシース。
（項目２０）
前記非偏向部分の前記近位端から前記遠位端まで前記トルク伝達層の前記外周の周りに第３の螺旋経路に沿って配置され、前記偏向可能部分の前記近位端から前記偏向可能部分の前記遠位端まで前記トルク伝達層の前記外周の周りに第４の螺旋経路に沿って配置される第２の電極ワイヤをさらに備えており、
前記第２の電極ワイヤは、前記偏向可能部分上に配置される第２の電極に電気的に接続される、項目１８に記載の操作可能なシース。
（項目２１）
内側ライナーの非偏向部分の近位端から前記内側ライナーの前記非偏向部分の遠位端まで、前記内側ライナーの前記非偏向部分の外周の周りに第１の螺旋経路に沿って第１のプルワイヤを配置するステップと、
前記内側ライナーの偏向可能部分の近位端から前記偏向可能部分の遠位端まで第１の直線経路に沿って前記第１のプルワイヤを配置するステップであって、前記内側ライナーの前記偏向可能部分の前記近位端は、前記内側ライナーの前記非偏向部分の前記遠位端に隣接する、前記第１の直線経路に沿って前記第１のプルワイヤを配置するステップと、
前記内側ライナーの前記非偏向部分の前記近位端から前記内側ライナーの前記非偏向部分の前記遠位端まで、前記内側ライナーの前記非偏向部分の前記外周の周りにおいて第２の螺旋経路に沿って第２のプルワイヤを配置するステップと、
前記内側ライナーの前記偏向可能部分の前記近位端から前記内側ライナーの前記偏向可能部分の前記遠位端まで、第２の直線経路に沿って前記第２のプルワイヤを配置するステップと、
前記第１のプルワイヤ、前記第２のプルワイヤ及び前記内側ライナーの上にトルク伝達層を配置するステップと、
前記トルク伝達層の上に第１のポリマー材料をリフローするステップと、
リフローされた前記第１のポリマー材料の非偏向部分の近位端から前記リフローされた第１のポリマー材料の前記非偏向部分の遠位端まで前記リフローされた第１のポリマー材料の外周の周りに第３の螺旋経路に沿って、前記リフローされた第１のポリマー材料の前記偏向可能部分の近位端から前記リフローされた第１のポリマー材料の前記偏向可能部分の遠位端まで前記リフローされた第１のポリマー材料の外周の周りに第４の螺旋経路に沿って、第１の電極ワイヤを配置するステップと、
前記リフローされた第１のポリマー材料の前記非偏向部分の前記近位端から前記リフローされた第１のポリマー材料の前記非偏向部分の前記遠位端まで前記リフローされた第１のポリマー材料の前記外周の周りに第５の螺旋経路に沿って、前記リフローされた第１のポリマー材料の前記偏向可能部分の前記近位端から前記リフローされた第１のポリマー材料の前記偏向可能部分の前記遠位端まで前記リフローされた第１のポリマー材料の前記外周の周りに第６の螺旋経路に沿って、第２の電極ワイヤを配置するステップと、を備えている、操作可能なシースの製造方法。
（項目２２）
前記第１の電極ワイヤ及び前記第２の電極ワイヤの上に第２のポリマー材料をリフローするステップをさらに備える、項目２１に記載の操作可能なシースの製造方法。
（項目２３）
前記第２のポリマー材料は、２つの別個の材料をリフローする共押出プロセスである、項目２２に記載の操縦可能なシースを製造する方法。